(57)【要約】【課題】  簡単な構造でありながらも、親骨に対し確実に開放付勢力を付与することができ、しかも軽量化をもすることができるジャンプ式傘の開放付勢機構を提供すること。【解決手段】  弾性材料製の有孔板体１からは、同じく弾性材料製の受骨２・２…が一体に放射状に持出成形されているとともに、これら受骨２・２…の各先端部21は前記親骨７の軸支部71にヒンジ連結されている一方、前記有孔板体１は下ロクロ３に固定され、これら下ロクロ３および有孔板体１の挿通孔11が中骨５にスライド自在に挿通されており、下ロクロ３を引き下げるときは、当該下ロクロ３が前記受骨２が撓曲付勢しつゝ下ハジキ４に掛合し、親骨７を折り畳むことができる一方、前記下ハジキ４の掛合を解除することにより、受骨２の弾性復元力によって親骨７を開放方向に付勢することができるようにするという技術的手段を採用した。【選択図】  図３
2006081780.tif 000002
【特許請求の範囲】
【請求項１】
ジャンプ式に開閉操作する傘の上ロクロ６から放射状に伸びる親骨７・７…を開放付勢せしめるための機構であって、
弾性材料製の有孔板体１からは、同じく弾性材料製の受骨２・２…が一体に放射状に持出成形されているとともに、これら受骨２・２…の各先端部21は前記親骨７の軸支部71にヒンジ連結されている一方、
前記有孔板体１は下ロクロ３に固定され、これら下ロクロ３および有孔板体１の挿通孔11が中骨５にスライド自在に挿通されており、
下ロクロ３を引き下げるときは、当該下ロクロ３が前記受骨２が撓曲付勢しつゝ下ハジキ４に掛合し、親骨７を折り畳むことができる一方、
前記下ハジキ４の掛合を解除することにより、受骨２の弾性復元力によって親骨７を開放方向に付勢することができることを特徴とするジャンプ式傘の開放付勢機構。
【請求項２】
有孔板体１と受骨２とが弾性材料製板体を一体に打ち抜き成形されていることを特徴とする請求項１記載のジャンプ式傘の開放付勢機構。
【請求項３】
上ロクロ６に固定する有孔板体61と親骨７とが弾性材料で一体に作製されていることを特徴とする請求項１または２記載のジャンプ式傘の開放付勢機構。
【請求項４】
上ロクロ６に固定する有孔板体61と親骨７とが弾性材料製板体を一体に打ち抜き成形されていることを特徴とする請求項３記載のジャンプ式傘の開放付勢機構。
【請求項５】
弾性材料がチタンまたはチタン合金であることを特徴とする請求項１〜４の何れか一つに記載のジャンプ式傘の開放付勢機構。
【請求項６】
弾性材料がニッケル・チタン系超弾性合金であることを特徴とする請求項１〜４の何れか一つに記載のジャンプ式傘の開放付勢機構。
【発明の詳細な説明】
【技術分野】
【０００１】
本発明は、ジャンプ式傘の改良、更に詳しくは、簡単な構造でありながらも、確実に開放付勢力を付与することができ、しかも軽量化をもすることができるジャンプ式傘の開放付勢機構に関するものである。
【背景技術】
【０００２】
周知のとおり、傘の開閉において、バネなどの付勢手段を利用して、ハジキボタンを操作するだけで自動的に傘が開くように構成された、所謂、「ジャンプ傘」が非常に使い勝手が良く、多く普及している。
【０００３】
従来、かかるジャンプ傘における開放付勢手段には、バネを付勢部材として用いるものが一般的である（例えば、特許文献１参照）。
【０００４】
しかしながら、かかる付勢構造にあっては、バネをロクロ部材の中に介装したり、傘骨同士のジョイント部分の連結したりして構造が複雑であるために、故障が発生し易く、また、製造工程にも手間がかかるという問題があった。
【特許文献１】実用新案登録３０２７４４１号公報  （第４−８頁、図１−３）
【発明の開示】
【発明が解決しようとする課題】
【０００５】
本発明は、従来のジャンプ式傘に、上記のような問題があったことに鑑みて為されたものであり、その目的とするところは、簡単な構造でありながらも、親骨に対し確実に開放付勢力を付与することができ、しかも軽量化をもすることができるジャンプ式傘の開放付勢機構を提供することにある。
【課題を解決するための手段】
【０００６】
本発明者が上記課題を解決するために採用した手段を添付図面を参照して説明すれば次のとおりである。
【０００７】
即ち、本発明は、ジャンプ式に開閉操作する傘の上ロクロ６から放射状に伸びる親骨７・７…を開放付勢せしめるための機構であって、
弾性材料製の有孔板体１からは、同じく弾性材料製の受骨２・２…が一体に放射状に持出成形されているとともに、これら受骨２・２…の各先端部21は前記親骨７の軸支部71にヒンジ連結されている一方、
前記有孔板体１は下ロクロ３に固定され、これら下ロクロ３および有孔板体１の挿通孔11が中骨５にスライド自在に挿通されており、
下ロクロ３を引き下げるときは、当該下ロクロ３が前記受骨２が撓曲付勢しつゝ下ハジキ４に掛合し、親骨７を折り畳むことができる一方、
前記下ハジキ４の掛合を解除することにより、受骨２の弾性復元力によって親骨７を開放方向に付勢することができるようにするという技術的手段を採用した。
【０００８】
また、本発明は、上記課題を解決するために、必要に応じて上記手段に加え、前記有孔板体１と受骨２とを弾性材料製板体を一体に打ち抜き成形するという技術的手段を採用した。
【０００９】
更にまた、本発明は、上記課題を解決するために、必要に応じて上記手段に加え、上ロクロ６に固定する有孔板体61と親骨７とを弾性材料で一体に作製するという技術的手段を採用した。
【００１０】
更にまた、本発明は、上記課題を解決するために、必要に応じて上記手段に加え、上ロクロ６に固定する有孔板体61と親骨７とが弾性材料製板体を一体に打ち抜き成形するという技術的手段を採用した。
【００１１】
更にまた、本発明は、上記課題を解決するために、必要に応じて上記手段に加え、弾性材料をチタンまたはチタン合金にするという技術的手段を採用した。
【００１２】
更にまた、本発明は、上記課題を解決するために、必要に応じて上記手段に加え、弾性材料をニッケル・チタン系超弾性合金にするという技術的手段を採用した。
【発明の効果】
【００１３】
本発明にあっては、傘骨、特に受骨に弾性材料を使用したことにより、複雑な接合部分や付勢部材の取付などを必要とせずとも、簡単な構造で確実に付勢力を付与することができる。更にまた、傘を軽量化することもできて、使い勝手が向上することから、産業上における利用価値は頗る高いと云える。
【発明を実施するための最良の形態】
【００１４】
本発明の実施形態を具体的に図示した図面に基いて更に詳細に説明すると次のとおりである。
【００１５】
本発明の実施形態におけるジャンプ式傘の開放付勢機構を図１から図５に基いて説明する。図中、符号１で指示するものは挿通孔11が開設された有孔板体であり、この有孔板体１は弾性材料（本実施形態では、β−チタン）で作製されている。
【００１６】
また、符号２で指示するものは受骨であり、この受骨２は前記有孔板体１と同じく弾性材料（β−チタン）で、当該有孔板体１から一体に放射状に持出成形されている。
【００１７】
しかして、本実施形態は、ジャンプ式に開閉操作する傘の上ロクロ６から放射状に伸びる親骨７・７…を開放付勢せしめるための機構であって、構成するにあっては、まず、図１に示すように、前記有孔板体１から受骨２・２…を一体に放射状に持出成形するとともに、これら受骨２・２…の各先端部21を前記親骨７の軸支部71にヒンジ連結する。
【００１８】
この際、本実施形態では、図２に示すようなβ−チタン製の薄板Ｐから、有孔板体１と受骨２とを一体に打ち抜き (punching) 加工することができる。
【００１９】
この親骨７の軸支部71とのヒンジ連結部は、受骨２の先端部21を折り返すか、または、略直角に捩じり、かつ、其処に貫通孔を開設して形成する。
【００２０】
そして、前記有孔板体１を下ロクロ３に固定し、これら下ロクロ３および有孔板体１の挿通孔11を中骨５にスライド自在に挿通する。
【００２１】
すると、図３に示すように、下ロクロ３を引き下げるときは、当該下ロクロ３が前記受骨２が撓曲付勢しつゝ下ハジキ４に掛合し、親骨７を折り畳むことができる。
【００２２】
また、図４に示すように、前記下ハジキ４の掛合を解除することにより、受骨２の弾性復元力によって親骨７を開放方向に付勢することができる。
【００２３】
本実施形態の変形例として、図５に示すように、上ロクロ６に固定する有孔板体61と親骨７とを弾性材料で一体に作製したものを使用することもでき、これらについても前記同様、打ち抜き加工することができる。
【００２４】
本発明は、概ね上記のように構成されるが、本発明は図示の実施形態に限定されるものでは決してなく、「特許請求の範囲」の記載内において種々の変更が可能であって、例えば、有孔板体１および受骨２に用いる弾性材料は、β−チタンに限らず、種々のチタン合金や、ニッケル・チタン系超弾性合金、更には、高弾性樹脂を使用することができ、この高弾性材料にはポリフェニレンサルファイド（ＰＰＳ）、高弾性ポリエチレン、ポリテトラフルオロエチレンなどの高弾性エンジニアリング樹脂などを使用することができる。
【図面の簡単な説明】
【００２５】
【図１】本発明の実施形態の板体および受骨部材を表わす上面図である。
【図２】本発明の実施形態の板体および受骨部材の打ち抜き加工を表わす上面図である。
【図３】本発明の実施形態の付勢機構を表わす説明正面図である。
【図４】本発明の実施形態の付勢機構を表わす説明正面図である。
【図５】本発明の実施形態の付勢機構の変形例を表わす説明正面図である。
【符号の説明】
【００２６】
１    有孔板体
２    受骨
21    先端部
３    下ロクロ
４    下ハジキ
５    中骨
６    上ロクロ
61    有孔板体
７    親骨
71    軸支部
【図１】
2006081780.tif 000003
【図２】
2006081780.tif 000004
【図３】
2006081780.tif 000005
【図４】
2006081780.tif 000006
【図５】
2006081780.tif 000007